(57)【要約】【課題】豚房に配置された保温用の暖マットおよび暖マットを稼働させる子豚育成暖房装置であって、耐久性と経済性に優れ、設置の自由度が高い構造に関するものである。【解決手段】 この発明は、熱媒を吐出する送り管３と熱媒を回収する戻り管４とを有するボイラ２と、豚房ｔ内に配置されたコンクリート製の板状ブロックからなって熱媒を通す管路１１を内蔵し前記ブロックの一側に前記管路１１の導入口１２と排出口１３を設けてなる暖マット１０と、前記送り管３と導入口１２を接続する送り側接続管５と、前記排出口１３と戻り管４とを接続する戻り側接続管６を介して暖マット１０とボイラ２とを接続して熱媒を循環させてなることを特徴とする。【選択図】図１
2006121923.tif 000002
【特許請求の範囲】
【請求項１】
熱媒を吐出する送り管と熱媒を回収する戻り管とを有するボイラと、
豚房内に配置されたコンクリート製の板状ブロックからなって熱媒を通す管路を内蔵し前記ブロックの一側に前記管路の導入口と排出口を設けてなる暖マットと、
前記送り管と導入口を接続する送り側接続管と、前記排出口と戻り管とを接続する戻り側接続管を介して暖マットとボイラとを接続して熱媒を循環させてなることを特徴とする子豚育成暖房装置。
【請求項２】
ボイラの戻り管と暖マットの排出口とを接続する戻り側導入管に、温度計と、弁を操作して熱媒の流量を調整し暖マットの温度を制御する温度調整弁とを設けてなることを特徴とする請求項１に記載の子豚育成暖房装置。
【請求項３】
温度調整弁が、暖マットに取り付けられた温度センサに接続されて温度センサの検出値を入力し、検出された温度が所定の基準値か否か判定し、基準値以外の場合には熱媒の流量を増減するように弁の開度を制御する自動温度調整弁からなることを特徴とする請求項２に記載の子豚育成暖房装置。
【請求項４】
熱媒に廃油を用いてなることを特徴とする請求項１から３のいずれかに記載の子豚育成暖房装置。
【請求項５】
ボイラと、豚房内に配置された暖マットと、前記ボイラと暖マットの管路を接続して熱媒を循環させる接続管とからなる子豚育成暖房装置に用いられる暖マットであって、
コンクリート製の板状ブロックからなって、熱媒を通す管路を内蔵し、前記ブロックの一側に前記管路の導入口と、排出口と、温度センサを装着するための温度センサ収納部とを設けてなることを特徴とする暖マット。
【発明の詳細な説明】
【技術分野】
【０００１】
本発明は、豚房に配置された保温用の暖マットおよび暖マットを稼働させる子豚育成暖房装置に関するものである。
【背景技術】
【０００２】
豚舎の暖房としては、天井面や壁面から赤外線電球を吊り下げて保温したり、プロパンガス（特開２００４−２１５５３５号）や灯油を用いたガスヒータで豚舎内を保温するなどの構成が知られている。
一方、赤ちゃん豚（以後、「子豚」とする）の場合は、その生育に３７〜３７．５℃の温度が必要であり、これ以下の温度では成育不能で死亡してしまう。
そのため豚舎の保温手段とは別に、各豚房に子豚専用の保温手段が採られている。
従来、子豚専用暖マットまたは暖シートとして、以下のような構成が知られている。
（１）電気ヒーター方式で、外装がゴムまたは樹脂で覆われており、豚房の床の一部に配置する。
（２）外装がゴムまたは樹脂製の袋状に造られ、その内部に有熱管(パイプ)をとりつけ、その管の中を水または不凍液をボイラを介して熱交換器の二次側とマットの中の管との間を循環させる。
子豚(赤ちゃん豚)は母豚の母乳を呑み、満腹になると豚房の隅に置かれた暖マットの上に本能的に移動して暖をとりながら休んだり寝たりしている。
従来の構成では、いずれもマツトまたはシートの外装材は、ゴムまたは樹脂で作られている。
しかし、豚房では、衛生面から連日、消毒液または水で洗浄機を使用して洗浄が行われている。
一つの豚房の中には母豚一頭に対して子豚が１０から１２頭いるのが普通である。
豚房では親豚や子豚が排泄する糞尿にアンモニア成分が含まれていることから、ゴムまたは樹脂で覆われたマットまたはシートの表面が劣化して割れる現象がみられ、時には漏電により親豚や子豚が感電死したり、これが原因で火災を起こす虞れもある。
また循環式の場合、マットやシートの外装材が破れ、管の中から不凍液が漏れる場合があり、子豚がこれを呑む事故がおきる虞れがある。
更に、子豚が成長して餌を食べるようになると、マットやシートの外装材を食べたり、噛んで破いたりする事故もおきている。
そのため、この種のマットやシートの耐用年数は普通で約３年位で新品と交換することが一般におこなわれている。
【０００３】
そこで、特開平６−１１３６９３号の薄板モルタルヒータが提案されているが、発熱体は電気を用いて発熱させる構成であるため、熱伝導をよくするように薄板となっている。
このように薄いモルタルを用いるので、強度を補強するために鋼板や金網を積層する必要があり、構造が複雑となり、またコストアップが避けられない。
【０００４】
【特許文献１】特開平６−１１３６９３号  図１参照
【発明の開示】
【発明が解決しようとする課題】
【０００５】
この発明は上記事情に鑑みて創案されたものであって、請求項１の発明の課題は、ボイラを用いた暖房としての機能の他に、加重に対して十分に耐えることができ、耐久性に富み長期間使用することができ、また糞や尿にも侵されにくく、高圧洗浄に対する摩耗もほとんど無く、かつ重量があるのでスベリによるストレスも生じない子豚育成暖房装置を提供することにある。
請求項２の発明の課題は、暖マットの温度を所定の温度に維持することができるようにした子豚育成暖房装置を提供することにある。
請求項３の発明の課題は、暖マットの温度センサの検出値を基にして熱媒の流量を自動制御して温度を自動調整することができる子豚育成暖房装置を提供することにある。
請求項４の発明の課題は、熱媒に廃油を用いることで、経済性を高めた子豚育成暖房装置を提供することにある。
請求項５の発明の課題は、長期間使用することができると共に、温度の検出を行いうるようにした暖マットを提供することにある。
【課題を解決するための手段】
【０００６】
上記課題を解決するために、請求項１の子豚育成暖房装置発明では、
熱媒を吐出する送り管と熱媒を回収する戻り管とを有するボイラと、
豚房内に配置されたコンクリート製の板状ブロックからなって熱媒を通す管路を内蔵し前記ブロックの一側に前記管路の導入口と排出口を設けてなる暖マットと、
前記送り管と導入口を接続する送り側接続管と、前記排出口と戻り管とを接続する戻り側接続管を介して暖マットとボイラとを接続して熱媒を循環させてなることを特徴とする。
請求項２の発明では、
前記ボイラの戻り管と暖マットの排出口とを接続する戻り側導入管に、温度計と、弁を操作して熱媒の流量を調整し暖マットの温度を制御する温度調整弁とを設けてなることを特徴とする。
また、請求項３の発明では、
前記温度調整弁が、暖マットに取り付けられた温度センサに接続されて温度センサの検出値を入力し、検出された温度が所定の基準値か否か判定し、基準値以外の場合には熱媒の流量を増減するように弁の開度を制御する自動温度調整弁からなることを特徴とする。
更に、請求項４の発明では、
前記熱媒に廃油を用いてなることを特徴とする。
請求項５の暖マットの発明では、
ボイラと、豚房内に配置された暖マットと、前記ボイラと暖マットの管路を接続して熱媒を循環させる接続管とからなる子豚育成暖房装置に用いられる暖マットであって、
コンクリート製の板状ブロックからなって、熱媒を通す管路を内蔵し、前記ブロックの一側に前記管路の導入口と、排出口と、温度センサを装着するための温度センサ収納部とを設けてなることを特徴とする。
【発明の効果】
【０００７】
この発明の暖マットは、コンクリート製のブロックからなっているので、従来のゴムまたは樹脂に比べて耐久性に冨み長期間することができる。
また、加重に対して十分に耐えることができるし、糞や尿にも侵されにくく、高圧洗浄に対する摩耗もほとんど無い。また、重量があるので暖マットが容易に動かず、子豚にさまよう様子が見られずストレスが生じない。
更に、温度センサを用いることで、暖マットの温度を自動的にまたはマニュアル操作により調整して所定の温度に維持することができる。
また、熱媒に廃油を用いれば、経済的効果が大きいという利点がある。
暖マットは、複数の暖マットを効率よくボイラに簡単に接続することができる。
【発明を実施するための最良の形態】
【０００８】
この発明は、暖マット１０をコンクリート製のブロックとし、内部に熱媒を通す配管を内蔵することで、耐久性と保温性を実現した。
以下に、この発明の子豚育成暖房装置の好適実施例について図面を参照しながら説明する。
【０００９】
図１は、子豚育成暖房装置１を設けた豚舎Ｔの概略図であって、中央の通路の左右に複数（図示例では左右６つづつ）の豚房ｔが設けられている。
そして各豚房ｔには、それぞれ暖マット１０が通路Ｒ側のコーナーに配置されており、隣接する豚房ｔ、ｔ間で、暖マット１０が隣接するようにセットされる。
【００１０】
［矩形の暖マット］
図２に一例を示す暖マット１０は、平面矩形のコンクリート製のブロック板からなっており、図示例では、縦９０ｃｍ、横６０ｃｍ、高さ４ｃｍに設定されている。
ここで４ｃｍの高さは、実験中の観察によると、どの子豚も上る違和感がみられず抵抗無く登れる高さであることが確認できた。
また、この暖マット１０は、製造してからコンクリートの乾燥後３０日間水槽にいれてコンクリートからでる灰汁を除去するので、子豚の皮膚を痛めることは無かった。
即ち、連日実験での３０日間の状況観察から成育過程での（１５０日後）成長した子豚１２頭について獣医が検診の結果、いずれも皮膚に異状は見られなかった。
【００１１】
そして、ブロック板の全面にほぼ均等となるようにジグザグに配置された管路１１が内蔵され、該管路１１の一端が暖マット１０の端面に形成された導入口１２に連なり、他端が排出口１３に連なっている。
暖マット１０の短手辺の端面には、前記導入口１２と排出口１３になる出入口が２つ並んで配置されており、それぞれのステンレス製のソケット先端が突出している。
本実施例では、更に、温度センサを挿入して装着するための温度センサ収納部１４が横に並んで形成されている。
この温度センサ収納部１４の開口はプラグＰ等で開閉しうるようになっている。
【００１２】
［台形の暖マット］
図３に示す暖マット１０は、平面形状が図２と異なる略台形からなっており、図示例では台形の上底が３０ｃｍ、下底が５０ｃｍ、高さ（上底に垂直な側辺）が１ｍに設定されている。
そして、この台形に対応して管路１１の形状が図２とは異なるが、その他の導入口１２、排出口１３や温度センサ収納部１４などの構造は前記実施例と同様であるので、その説明を省略する。
【００１３】
そして、前記図１では、一方側の豚房ｔには図２に示す暖マット１０を用い、他方側の豚房ｔには図３に示す暖マット１０を用いたが、これはいずれか一方だけを用いてもよいし、混在して用いてもよい。
更に、暖マット１０の形状は前記実施例に限定されるものではなく、種々の形状に変更して用いることができる。
【００１４】
［枠体］
上記暖マット１０のブロック板の端面はコンクリートが露出しているので、全周または２辺（例えば、前記導入口１２が配置された辺とこれに隣接すると共に配置した際に豚房ｔの内側を向く辺）をステンレス製の枠体１５で覆って保護してもよい。
また、暖マット１０は器具を含めて４０ｋｇ前後あり、一度設置した場所から暖マット１０が上下左右にずれることなく安定感があり、電気暖マットのように動くことによるショック(さまよう様子)はみられない。
【００１５】
図４は、図２の暖マット１０を覆う枠体１５、図５は図３の暖マット１０を覆う枠体１５を示す。
この枠体１５は、ステンレス等の金属であるが合成樹脂でもよく、底板１６と外周を囲むアングル片１７からなっており、アングル片１７で囲まれた凹部に前記コンクリート製ブロック板を隙間無く嵌め込んで装着する。
【００１６】
［ボイラ・熱媒］
図８はボイラ２の一例を示す斜視図であって、熱媒を吐出する往路となる送り管３と、排出された熱媒を受け入れる復路となる戻り管４を有している。
熱媒としては、水や不凍液など公知の熱媒を用いることができるが、廃油を用いると経済性に優れる。
【００１７】
例えば、特開２００１−１６４２４３に開示するような廃油を利用した加温用熱媒を用いても良い。
廃油を用いる場合は、原価が０であり、不凍液や水よりも比重が軽いので熱媒循環のポンプのモーターの電力消費も経済的である。
本実施例では、従来の電気ヒーターを用いた暖マットと比較して消費価格差は月間で半値ですみランニングコストを低くおさえることができる。
【００１８】
［接続管］
次に、ボイラ２と暖マット１０との連結について図１および図６を参照しながら説明する。
まず、暖マット１０が単独で独立して配置されている場合には、暖マット１０の導入口１２には、ボイラ２の送り管３から分岐した送り側接続管５が接続され、排出口１３には、ボイラ２の戻り管４から分岐した戻り側接続管６が接続される。
暖マット１０が隣接して配置されている場合には、上流側の暖マット１０の導入口１２に、ボイラ２の送り管３から分岐した送り側接続管５が接続され、排出口１３には、一端が下流側の暖マット１０の導入口１２と接続されるＵ字状の中継接続管７の他端が接続される。
【００１９】
そして、下流側の暖マット１０の排出口１３には、ボイラ２の戻り管４から分岐した戻り側接続管６が接続される。
接続管５、６と導入口・排出口のアダプターとの連結にはナットが用いられているので、暖マット１０を別な豚房に移動設置する時には、前記ナットをゆるめれば暖マット１０を外すことができ、移設後簡単に元通りに接続しうる。
また、外面にでる管路(高分子ポリマー)または接続管にはステンレスを用いているので、長年腐れによる事故は生じにくい。
【００２０】
［自動温度調整弁］
そして、暖マット１０の排出口１３に接続される戻り側接続管６には、排出口１３側から温度計２２と、自動温度調整弁８が直列に接続されている。
一方、暖マット１０の前記温度センサ収納部１４には温度センサ（サーモセンサ）２０が装着されて暖マット１０の温度を抵抗値として検出する。
この検出値は配線２１を介して前記自動温度調整弁８に接続されている。
自動温度調整弁８は、前記温度センサ２０の検出値を入力する入力部と、検出値がが所定の基準値（例えば３７〜３７．５℃）か否かを判定する判定部と、判定結果に基づいて弁の開度を制御して熱媒の流量を調整する制御部（いずれも図示せず）とからなっている。
【００２１】
上記構成からなっているので、暖マット１０の温度を温度センサ２０が検出し、基準値に満たない場合には温度が上がるように熱媒の流量を調整し、基準値を超えた場合には温度が下がるように熱媒の流量を調整し、基準値の範囲内の場合には現状の熱媒の流量を維持するようになっている。
また、暖マット１０の温度は、温度計２２によって外部表示されるので、豚舎管理者は各暖マット１０の温度を目視確認することも可能である。
なお、隣接する暖マット１０においては上流側の暖マット１０には戻り側接続管６が接続されないので、前記温度センサ収納部１４は使用せずプラグＰ等で塞いでいる。
【００２２】
［手動温度調整弁］
次に、手動で温度を調整する構造について説明する。
この場合、暖マット１０とボイラ２との接続構造は前記実施例と同様であるので説明を省略する。
そして、暖マット１０には温度センサ２０を取り付けないので、前記実施例のように温度センサ収納部１４を設けた場合にはプラグＰ等で塞ぐことになる。
従って、同じ構成の暖マット１０とであっても、自動温度調整と手動温度調整のいずれにも対応することが可能となる。
【００２３】
しかし、この場合は温度センサ２０を使用しないので、図７に示すように、暖マット１０に予め温度センサ収納部１４を設けない構成としてもよい。
この場合、暖マット１０の排出口１３に接続される戻り側接続管６に、排出口１３側から温度計２２と、手動温度調整弁９が直列に接続されている。
そして、豚舎管理者は、前記温度計２２を見て所定の温度か否かを判定する。
例えば温度計２２の温度が３７℃未満の場合には、手動温度調整弁９を調整して温度が上昇するように流量を調整し、３７．５℃を超えた場合には、手動温度調整弁９を調整して温度が下降するように流量を調整し、３７〜３７．５℃の範囲内の場合には手動温度調整弁９を動かさず現状の熱媒の流量を維持する。
このようにして、暖マット１０の温度を子豚生育に必要な温度に維持することができる。
【産業上の利用可能性】
【００２４】
この発明は、豚房ｔで離乳前の子豚の生育に用いる場合を例示したが、子豚が病気になったり衰弱して所定の温度に維持して保温する必要がある場合にも同様に適用できる。
【図面の簡単な説明】
【００２５】
【図１】豚舎Ｔに子豚育成暖房ｔ装置を設けた場合の概略を示す平面図である。（実施例１）
【図２】（ａ）は平面矩形の暖マットを示す平面から見た断面図、（ｂ）は側面図、（ｃ）は正面図である。
【図３】（ａ）は平面台形の暖マットを示す平面から見た断面図、（ｂ）は側面図、（ｃ）は正面図である。
【図４】（ａ）は図２の暖マットの枠体を示す平面図、（ｂ）は正面図である。
【図５】（ａ）は図３の暖マットの枠体を示す平面図、（ｂ）は下底を示す正面図である。
【図６】（ａ）は隣接する暖マット１０とボイラ２との接続を示す要部平面図、（ｂ）は自動温度調整弁を示す側面図である。
【図７】（ａ）は隣接する暖マット１０とボイラ２との接続を示す要部平面図、（ｂ）は手動温度調整弁を示す側面図である。
【図８】ボイラを示す斜視図である。
【符号の説明】
【００２６】
１    子豚育成暖房装置
２    ボイラ
３    送り管
４    戻り管
５    送り側接続管
６    戻り側接続管
７    中継接続管
８    自動温度調整弁
９    手動温度調整弁
１０    暖マット
１１    管路
１２    導入口
１３    排出口
１４    温度センサ収納部
１５    枠体
２０    温度センサ
２１    配線
２２    温度計
Ｔ      豚舎
ｔ      豚房
Ｒ      通路
【図１】
2006121923.tif 000003
【図２】
2006121923.tif 000004
【図３】
2006121923.tif 000005
【図４】
2006121923.tif 000006
【図５】
2006121923.tif 000007
【図６】
2006121923.tif 000008
【図７】
2006121923.tif 000009
【図８】
2006121923.tif 000010